(57)【要約】      （修正有）【課題】物品収納棚の棚板における、取付け、分解が不便で、棚板の取付け位置を自由に変更することができず、物品収納棚の空間を任意に配置できないという問題を解決する物品収納棚連結部品を提供する。【解決手段】物品収納棚連結部品１０は、固定板１１とブラケット１２を備え、ブラケット１２は固定板１１と一体に成形され、固定板１１の一側に固定連結し、前記固定板１１の一側から外へ凸弧状に湾曲延伸する。ブラケット１２が固定板１１の一側上に連結する具体的な位置は具体的に限定しなくてもよく、端部若しくは中間部に位置してもよく、又は直接、固定板１１の幅と同じにしてもよい。本実施例では、ブラケット１２は固定板１１の当該側の前半部分に位置し、幅は約固定板１１の当該側の幅の１／２であり、ブラケット１２と固定板１１の当該側の後半部分との間に切口１４が形成される。【選択図】図１
0003186940.tif 000002
【実用新案登録請求の範囲】
【請求項１】
物品収納棚連結部品であって、固定板とブラケットを備え、ブラケットが固定板の一側に固定連結し、前記固定板の一側から外へ凸弧状に湾曲延伸することを特徴とする物品収納棚連結部品。
【請求項２】
前記固定板上に、物品収納棚の棚板に連結するための連結孔が設けられることを特徴とする請求項１に記載の物品収納棚連結部品。
【請求項３】
前記ブラケットは、前記固定板の一側の前半部分に固定連結し、前記固定板の一側の後半部分との間に切口が形成されることを特徴とする請求項１又は２に記載の物品収納棚連結部品。
【請求項４】
前記ブラケットは前記固定板の一側の中間部分に位置することを特徴とする請求項１又は２に記載の物品収納棚連結部品。
【請求項５】
前記ブラケットの断面は半円形を呈することを特徴とする請求項３に記載の物品収納棚連結部品。
【請求項６】
前記連結部品は金属部品又はプラスチック部品又は木製部品であることを特徴とする請求項１に記載の物品収納棚連結部品。
【請求項７】
物品収納棚であって、少なくとも二列の支柱と、隣接の支柱の間に位置し、かつ垂直方向に沿って間隔を置いて設置された複数の棚板とを備え、各列に二本の支柱を備えており、物品収納棚は複数の水平支持杆をも備え、前記水平支持杆の両端は同じ列の二本の支柱に固定連結され、前記棚板の相対する両側縁にはすべて請求項１に記載された連結部品が連結され、前記連結部品の固定板は前記棚板上に固定され、ブラケットは前記水平支持杆上に重合せ、前記棚板の相対する両側縁を隣接の列の支柱上の同じ高さの水平支持杆に連結することを特徴とする物品収納棚。
【請求項８】
前記ブラケットは前記固定板の一側の前半部分に固定連結し、固定板の一側の後半部分との間に切口が形成されることを特徴とする請求項７に記載の物品収納棚。
【請求項９】
前記物品収納棚は二列以上の支柱を備える場合、同じ列の支柱上の水平支持杆が連結された両側の棚板の内、一側の棚板の連結部品のブラケットはもう一側の連結部品の切口に位置することを特徴とする請求項８に記載の物品収納棚。
【請求項１０】
前記固定板上に前記棚板に連結するための連結孔が設けられ、前記固定板と前記棚板は螺子で前記連結孔に固定連結されることを特徴とする請求項９に記載の物品収納棚。
【考案の詳細な説明】
【技術分野】
【０００１】
本考案は連結部品に関し、具体的には、物品収納棚の棚板を円滑に物品収納棚本体の支持フレーム上に連結する物品収納棚連結部品及びその連結部品を有する物品収納棚に関する。
【背景技術】
【０００２】
現在、家庭での生活用品、又は倉庫、スーパーでの商品物を収納する物品収納棚は、多数が少なくとも両支柱と、両端が隣接の支柱に連結し、かつ垂直方向に沿って間隔を置いて設置された複数の水平棚板から組立てられ、各列の支柱は二本の支柱を備える。
【０００３】
従来技術では、棚板と支柱の連結部品は螺子であり、支柱上にその垂直方向に沿って間隔を置いて複数の連結孔が設置され、棚板の両端は螺子と支柱の連結孔を嵌合連結することによって、棚板と支柱の連結を実現する。
【０００４】
従来の物品収納棚は以下の欠陥及び欠点を有する。即ち、
１．棚板の間隔又は配置を変更する必要がある場合、使用者は専用の工具を用いて螺子を外し、その後、再び組立取付けを行い、非常に不便である。
２．物品収納棚が多列の支柱を有する組立物品収納棚である場合、同一列の支柱と連結するその両側の棚板は、棚板の螺子が支柱に連結するため、同じ平面上に位置することができず、不揃いな設置しなければならず、物品収納棚の空間使用効率、整然性及び美観に影響を及ぼす。
３．支柱上に配置された複数の連結孔は、支柱の強度や美観に影響を及ぼし、かつ長く使用すると連結孔に塵や埃が堆積しやくなる。
【先行技術文献】
【特許文献】
【０００５】
【特許文献１】特開２０１２−１６１４９１
【考案の概要】
【考案が解決しようとする課題】
【０００６】
本考案は物品収納棚連結部品及び物品収納棚を提供し、従来技術に存在する上記の問題を解決することができる。
【課題を解決するための手段】
【０００７】
上記技術問題を解決するという目的を達成するため、本考案が提案する物品収納棚連結部品は以下の技術案を用いて実現される、即ち、物品収納棚連結部品であって、固定板とブラケットを備え、前記ブラケットは固定板の一側に固定連結し、前記固定板側から外へ凸弧状に湾曲延伸する。
【０００８】
前記固定板上に物品収納棚の棚板に連結するための連結孔が設けられる。
【０００９】
前記ブラケットは前記固定板の一側の前半部分に固定連結し、前記固定板の一側の後半部分との間に切口が形成される。
【００１０】
また、前記ブラケットは前記固定板の一側の中間部分に位置する。
【００１１】
前記ブラケットの断面は半円形を呈する。
【００１２】
前記連結部品は金属部品又はプラスチック部品又は木製部品である。
【００１３】
本考案は物品収納棚をも提案した。即ち、少なくとも二列の支柱と、隣接の支柱の間に位置し、かつ垂直方向に沿って間隔を置いて設置された複数の棚板とを備え、各列に二本の支柱を備えており、物品収納棚は複数の水平支持杆をも備え、前記水平支持杆の両端は同じ列の二本の支柱に固定連結され、前記棚板の相対する両側縁にはすべて上記連結部品が連結され、前記連結部品の固定板は前記棚板上に固定され、ブラケットは前記水平支持杆上に重合せ、前記棚板の相対する両側縁を隣接の列の支柱上の同じ高さの水平支持杆に連結させる。
【００１４】
前記ブラケットは前記固定板の一側の前半部分に固定連結し、前記固定板の一側の後半部分との間に切口を形成する。
【００１５】
前記物品収納棚は二列以上の支柱を備える場合、同じ列の支柱上の水平支持杆が連結された両側の棚板の内、一側の棚板の連結部品のブラケットはもう一側の連結部品の切口に位置する。
【００１６】
前記固定板上に、前記棚板に連結するための連結孔が設けられ、前記固定板と前記棚板は螺子で前記連結孔に固定連結される。
【考案の効果】
【００１７】
従来技術と比較して、本考案に係る物品収納棚連結部品は、棚板と支柱との間に重合せ構造を形成し、棚板を物品収納棚上で自由に組立てることを実現し、必要に応じて棚板の位置を自由に上下に変更することができ、多種の空間配置を形成し、物品収納棚の通用性を向上した。同じ列の支柱の両側の棚板は、同じ高度の水平支持杆に連結することができ、棚板の不揃いな排列を回避し、空間の使用効率を向上し、かつ整然と揃った美観となる。両支柱の間は水平支持杆によって連結され、物品収納棚の強度を向上し、物品収納棚は丈夫で長持ちする。
【図面の簡単な説明】
【００１８】
【図１】本考案の物品収納棚連結部品の最適実施例の構造簡略図である。
【図２】本考案の物品収納棚の最適実施例の構造簡略図である。
【図３】図２中のＩ部分の構造拡大図である。
【図４】本考案の物品収納棚の他の実施例の構造簡略図である。
【考案を実施するための形態】
【００１９】
本考案の実施例の目的、技術案及びメリットをより明確にするため、以下本考案の実施例の図面を併せて本考案の実施例中の技術案について全面的に明瞭に説明する。
【００２０】
図1に示すように、本実施例の物品収納棚連結部品１０は、固定板１１とブラケット１２を備え、ブラケット１２は固定板１１と一体に成形され、固定板１１の一側に固定連結し、前記固定板１１の一側から外へ凸弧状に湾曲延伸する。
【００２１】
ブラケット１２の断面は重合せ保持強度を向上するよう略半円形にしてよく、本実施例中のその断面は半円形を呈する。
【００２２】
ブラケット１２が固定板１１の一側上に連結する具体的な位置は具体的に限定しなくてもよく、端部若しくは中間部に位置してもよく、又は直接、固定板１１の幅と同じにしてもよい。本実施例では、ブラケット１２は固定板１１の当該側の前半部分に位置し、幅は約固定板１１の当該側の幅の１／２であり、ブラケット１２と固定板１１の当該側の後半部分との間に切口１４が形成される。
【００２３】
連結部品１０は例えば、鋼、アルミニウム、鉄、銅などの材質である金属部品してもよい。又は、例えば、ＡＢＳ、ＰＰ、ＰＥなどのエンジニアリングプラスチック若しくは普通のプラスチックで作製されたプラスチック部品、又は木製部品でもよく、本実施例は材質を具体的に限定しない。
【００２４】
図２及び図３に示すように、物品収納棚２０は、三列の支柱２１と、隣接する支柱２１の間に位置し、かつ垂直方向に沿って間隔を置いて設置された複数の棚板２２とを備え、各列の支柱２１の数は二本であり、物品収納棚２０は複数本の水平支持杆２３をも備え、水平支持杆２３の両端はそれぞれ同じ列の二本の支柱２１に固定連結され、棚板２２の相対する両側縁にはすべて本実施例に記載された連結部品１０が連結される。連結部品１０の具体的な構造は本考案の物品収納棚の連結部品の実施例及び図１の記載を参照のこと。ここでは更に説明をしない。
【００２５】
連結部品１０の固定板１１上に連結孔１３が設けられ、螺子で連結孔１３を通って固定板を棚板２２の相対する両側縁上に固定連結する。勿論、連結部品１０、棚板２２の異なる材質によって、その他の固定方式例えば、粘着、溶接などを用いて連結部品１０を棚板２２上に固定する。同時に、ブラケット１２を水平支持杆２３上に重合せ、棚板２２の相対する両側縁を隣接する列の支柱２１上の同じ高さの水平支持杆２３に連結する。勿論、連結部品１０は溶接又は棚板２２と一体成型する方式を用いて棚板２２に固定してもよい。連結部品１０の設置によって、棚板２２が支柱２１上の水平支持杆２３に重合せ易く、取付け、分解が簡単となり、棚板２２を物品収納棚２０上に自由に組立てることを実現し、必要に応じて棚板２２の位置を自由に上下することができ、多種の空間配置を形成し、物品収納棚２０の通用性を向上した。
【００２６】
棚板２２の外観に影響を及ぼさないため、連結部品１０の固定板１１は棚板２２の裏面上に連結され、棚板２２の配置空間にも影響しない。
【００２７】
本実施例中の連結部品１０のブラケット１２の断面は、半円形を呈する。それに応じて、水平支持杆２３はそれに適合する円柱形である。
【００２８】
ブラケット１２は固定板１１の一側の前半部分に位置し、幅は約固定板１１の当該側の幅の１／２であり、ブラケットと固定板１１の当該側の後半部分の間に切口１４が形成される。これで、同じ列の支柱２１上の水平支持杆２３の両側とも棚板２２に連結されると、即ち、両側の棚板２２は同じ列の支柱２１上の同じ水平支持杆２３に連結され、一側の棚板２２の連結部品１０のブラケット１２はもう一側の棚板２２の連結部品１０の切口１４に位置し、連結部品１０の占用空間を節約し、物品収納棚の空間の利用率を向上し、かつ棚板２２及び物品収納棚２０の全体の美観に影響を及ぼさない。
【００２９】
棚板２２及び物品収納棚２０全体の安定性を向上するため、棚板２２の相対する両側縁に連結された連結部品１０は、各側縁上にすべて二つを設置し、それぞれその側縁の両端位置に接近する。
【００３０】
本実施例の物品収納棚２０は、物置棚、本棚、靴棚若しくは工芸品棚などに用いられ、又はその他の用途として用いられる。
【００３１】
図４に示すのは物品収納棚２０のもう一つ実施例であり、上記実施例と異なるのは、二列の支柱２１を備え、簡単な物品収納棚構造である。勿論、物品収納棚の支柱２１、棚板２２を自由に組立てることができ、需要に応じて配置する。
【００３２】
上記実施例は、本考案の好ましい実施形態を説明しただけであり、本考案の構想や範囲を限定せず、如何なる本領域の技術者が上記に記載された技術内容を用いて同等変更の等価実施例を変更又は変形してもよいが。本考案の技術内容を逸脱せず、本考案の技術要旨を基づいて以上の実施例に対して行う如何なる簡単な修正、同等変更及び変形は、まだ本実用新案の保護範囲内にある。
【符号の説明】
【００３３】
１０    連結部品
１１    固定板
１２    ブラケット
１３    連結孔
１４    切口
２０    物品収納棚
２１    支柱
２２    棚板
２３    水平支持杆
【図１】
0003186940.tif 000003
【図２】
0003186940.tif 000004
【図３】
0003186940.tif 000005
【図４】
0003186940.tif 000006